(57)【要約】【課題】緩衝材の一部を被包装物のスタンドとして再利用することができる緩衝材を提供する。【解決手段】緩衝材２０は、底部２１と、底部２１の２組に対向する各側辺から上向きに連設される４つの側部２２、２３、２４、２５と、各側部２２、２３、２４、２５によって形成され被包装物１０を収容するための収容部２６と、緩衝用のリブ３０〜３６とを有し、各側部のうちの第１の側部２２と、底部２１と、第１の側部２２に対向する面に設けられた第２の側部２４に沿って連続的に形成された切り取り用の案内溝４０を２つ設けた。また、緩衝材２０は、２つの切り取り用の案内溝４０の間で、かつ第１の側壁２２又は第２の側壁２４から外方に向けて突出するように安定用の脚部４１を設けた。【選択図】        図１
2004182237.tif 000002
【特許請求の範囲】
【請求項１】
底部と、該底部の各側辺から上向きに連設する４つの側部と、該各側部によって形成され被包装物を収容するための収容部とからなる本体と、
前記底部又は前記各側部から外方に向けて突出する緩衝用のリブとを備え、
前記本体は、分解することにより前記被包装物を保持するスタンドとなる部分を有することを特徴とする緩衝材。
【請求項２】
前記緩衝材は更に、前記各側部のうちの第１の側部と、前記底部と、該第１の側部に対向する面に設けられた第２の側部に沿って形成された切り取り用の案内溝を有することを特徴とする請求項１記載の緩衝材。
【請求項３】
前記緩衝材は、前記切り取り用の案内溝を２つ有し、
該２つの切り取り用の案内溝間に、前記第１の側壁又は第２の側壁から外方に向けて突出する安定用の脚部を有することを特徴とする請求項１又は２記載の緩衝材。
【請求項４】
前記安定用の脚部は、前記リブよりも短く形成されていることを特徴とする請求項１から３のいずれか一項に記載の緩衝材。
【請求項５】
前記緩衝材は、発泡ポリオレフィンからなることを特徴とする請求項１から４のいずれか一項に記載の緩衝材。
【発明の詳細な説明】
【０００１】
【発明の属する技術分野】
本発明は、商品を被包装物として包装するときに使用する緩衝材に関する。
【０００２】
【従来の技術】
従来、例えば光ディスクドライブやフロッピー（登録商標）ディスクドライブなどのデリケートな商品を被包装物として包装するときに使用する緩衝材が提案されている。図１０は、従来の緩衝材を説明するための図である（従来例１）。
【０００３】
図１０に示すように、従来の緩衝材６１は、左部緩衝材６２と、右部緩衝材６３と、複数のリブ６２４、６３４とを有する。また、この緩衝材６１は、左部緩衝材６２及び右部緩衝材６３に形成された収納部６２６、６３６に被包装物６５を収容し保持することができるようになっている。このように、左部緩衝材６２と右部緩衝材６３に設けられたそれぞれの被包装物の収納部６２６、６３６に被包装物６５を収納した状態で段ボール等の包装箱に収納し、包装に使用されていた。そして、この従来の包装用緩衝材６１は、被包装物の荷重をリブ６２４、６３４が支持する形状であり、リブ６２４、６３４は、緩衝機能を有するものである。また、この被包装物を支持するためのスタンドを別途包装箱に入れてユーザに提供した。
【０００４】
次に、他の従来の緩衝材について説明する（従来例２）。図１１は、特許文献１に記載された他の従来例を説明するための図である。図１１に示すように、従来の緩衝材７１は、電気機器等の被梱包物の角部に当てられる角凹部の片側壁７３に、複数の縦溝７６が適宜間隔を置いて形成されている。緩衝材７１を、例えば、ビデオからなる被梱包物Ｈの四隅の角部に当てた状態で、箱体（図示略）に梱包して搬送し、搬送先で箱体を開けて被梱包物Ｈを取り出した後に、角凹部が上下に向き合うように、２つの緩衝材７１、７１を上下に配置し、複数冊の本やＣＤケース等の縦置き物品Ｂを複数の縦溝７６にそれぞれ嵌め入れて縦置きスタンドとして使用する。このように、緩衝材７１は、被梱包物Ｈを梱包して使用した後に、使用済みとなったときに、複数の本やＣＤケース等の縦置き物品Ｂを複数の縦溝７６にそれぞれ嵌め入れて収納する縦置きスタンドとして使用できるので、一度使用しても、そのままの形状でリサイクルすることができるというものである。
【０００５】
【特許文献１】
特開平２００１−３１５８５４号公報
【発明が解決しようとする課題】
しかしながら、従来例１の緩衝材６１は、搬送先で梱包箱から開けて被包装物を取り出した後は、不要なものとなってしまい破棄しなければならないものであった。また、被包装物を保持するためのスタンドを別途添付する必要もあった。
【０００６】
また、特許文献１記載の緩衝材７１は、被包装物を保持するスタンドとして再利用するものではなく、被包装物とは全く異なる物を収容するものであるため、被包装物を保持するスタンドを別途添付する必要があるという問題があった。
【０００７】
そこで、本発明は上記従来技術の問題点を解決し、被包装物を保持するスタンドを別途添付する必要がない緩衝材を提供することを目的とする。
【０００８】
【課題を解決するための手段】
上記課題を解決するために、請求項１記載の緩衝材は、底部と、該底部の各側辺から上向きに連設する４つの側部と、該各側部によって形成され被包装物を収容するための収容部とからなる本体と、前記底部又は前記各側部から外方に向けて突出する緩衝用のリブとを備え、前記本体は、分解することにより前記被包装物を保持するスタンドとなる部分を有することを特徴とする。
【０００９】
請求項１記載の緩衝材によれば、本体は、分解することにより被包装物を保持するスタンドとなる部分を有するので、搬送先で梱包箱を開けて被包装物を取り出した後に、ユーザは、カッターなどを用いて本体からスタンドとなる部分を分離することにより、緩衝材の一部を被包装物のスタンドとして再利用することができる。従って、被包装物を保持するスタンドを別途添付する必要がない。
【００１０】
また、請求項２記載の緩衝材は、請求項１記載の緩衝材において、更に、前記各側部のうちの第１の側部と、前記底部と、該第１の側部に対向する面に設けられた第２の側部に沿って形成された切り取り用の案内溝を有することを特徴とする。
【００１１】
請求項２記載の衝撃材によれば、各側部のうちの第１の側部と、底部と、第１の側部に対向する面に設けられた第２の側部に沿って形成された切り取り用の案内溝を有するので、搬送先で梱包箱を開けて被包装物を取り出した後に、ユーザは、カッターなどを用いて切り取り用の案内溝に沿って緩衝材をカットして、緩衝材を分離することができる。これにより、緩衝材の一部である中央の部分を被包装物のスタンドとして再利用することができる。従って、被包装物を保持するスタンドを別途添付する必要がない。
【００１２】
また、請求項３記載の緩衝材は、請求項１又は２記載の緩衝材において、前記切り取り用の案内溝を２つ有し、該２つの切り取り用の案内溝間に、前記第１の側壁又は第２の側壁から外方に向けて突出する安定用の脚部を有することを特徴とする。請求項３記載の緩衝材によれば、緩衝材は、２つの切り取り用の案内溝の間に、第１の側壁又は第２の側壁から外方に向けて突出する安定用の脚部を有するので、緩衝材の一部を被包装物のスタンドとして使用する際に、被包装物を安定した状態で保持できる。
【００１３】
また、請求項４記載のように、請求項１から３のいずれか一項に記載の緩衝材において、前記安定用の脚部は、前記リブよりも短く形成されていることを特徴とする。請求項４記載の緩衝材によれば、脚部は、各側部から突出して設けられたリブよりも短く形成されているので、被包装物を梱包箱に入れて搬送しているときには、脚部は、梱包箱と接触することがないため、脚部の破損を防止することができる。
【００１４】
また、請求項５記載の緩衝材は、発泡ポリオレフィンからなることを特徴とする。請求項５記載の緩衝材によれば、発泡ポリオレフォンは復元性がある材質であることから、緩衝材がたとえ緩衝しても元に戻るため、開梱後に緩衝材の一部をスタンドとして利用することができる。
【００１５】
【発明の実施の形態】
以下、本発明を適用した一実施の形態について、図面を参照しつつ説明する。図１〜図６は、被包装物を包装する緩衝材として使用する例を示している。また、図７〜９は、緩衝材を分離してスタンドとして使用する例を示している。図１は、本実施の形態に係る緩衝材に被包装物を収納した状態を示す斜視図である。図２は、本実施の形態に係る緩衝材に被包装物を収納した状態を示し、図１とは反対側から見た斜視図である。図３は、本実施の形態に係る緩衝材の斜視図である。図４は、本実施の形態に係る緩衝材の正面図である。図５は、本実施の形態に係る緩衝材の平面図である。図６は、本実施の形態に係る緩衝材を下面から見た斜視図である。
【００１６】
図１〜図６において、１０は被包装物、２０は緩衝材を示している。２つの緩衝材２０のそれぞれに形成された収容部２６に被包装物１０を収容し保持する構成となっている。図３〜図６に示すように、緩衝材２０は、底部２１と、底部２１の各側辺から上向きに連設する４つの側部２２、２３、２４、２５と、各側部２２、２３、２４、２５によって形成され被包装物１０を収容するための収容部２６とからなる本体と、底部２１又は各側部２２、２３、２４、２５から突出して設けられた緩衝用の複数のリブ３０〜３７とを備える。
【００１７】
また、本体は、分解することにより前記被包装物を保持するスタンドとなる部分５０を有し、緩衝材２０は、各側部２２、２３、２４、２５のうちの第１の側部２２と、底部２１と、第１の側部に対向する面に設けられた第２の側部２４に沿って連続的に形成された切り取り用の案内溝４０を２つ有する（４０Ａ、４０Ｂ）。また、緩衝材２０は、２つの切り取り用の案内溝４０Ａ、４０Ｂの間に、第１の側壁２２又は第２の側壁２４から外方に向けて突出するように安定用の脚部４１を有する。この安定用の脚部４１は、各側部２２、２３、２４、２５から突出して設けたれたリブ３０〜３５よりも短く形成されている。
【００１８】
緩衝材２０は、被包装物の荷重を底部２１、側部２２、２３、２４、２５を介してリブ３０〜３７が支持する形状となっている。このため、緩衝材２０の緩衝効果は、リブ３０〜３７の圧縮による衝撃の吸収によるものである。また、緩衝材２０には、合成樹脂発泡体を使用することができる。具体的には、ポリスチレン、ハイインパクトポリスチレン等のスチレン系樹脂、ポリエチレン系樹脂、ポリプロピレン系樹脂、スチレン改質ポリオレフィン系樹脂等を発泡成形した発泡体を使用することができる。
【００１９】
特に、復元性のある発泡ポリオレフィンなどを用いることがよい。復元性がある材質を用いることにより、緩衝材２０がたとえ緩衝して変形しても元の形に戻るため、開梱後に緩衝材の一部をスタンドとして利用することができる。また、材質は、千切れにくい発泡ポリオレフィンの成形品や抜き品、表面を平滑に、かつ、肉厚を変化させることによって、剛性を調整成形できる。ゴムや柔軟な樹脂でもよい。
【００２０】
また、上記の合成樹脂発泡体は独立気泡を有するものが強度の点から好ましい。また、これらの合成樹脂発泡体の発泡倍率としては２０〜６０倍のものが好ましく使用できる。さらに、発泡倍率が低いものを使用することにより、より粒を目立たないようにすることができる。
【００２１】
再度、図１〜図６を参照すると、図１において、破線で示す４０Ａ、４０Ｂは切り取り用の案内溝を示している。また、４１は安定用の脚部を示している。５０は分解することにより被包装物１０を保持するスタンドとなる部分である。また、図２において、破線で示す４０Ａ、４０Ｂは切り取り用の案内溝、４１は安定用の脚部、５０は分解することにより被包装物１０を保持するスタンドとなる部分を示している。
【００２２】
また、図３において、破線で示す４０Ａ、４０Ｂは切り取り用の案内溝、４１は安定用の脚部、５０は分解することにより被包装物１０を保持するスタンドとなる部分を示している。なお、本実施の形態では、カッターなどを用いて本体からスタンドとなる部分５０を分離しやすくするために、内側にも切り取り用の案内溝を形成しているがこれには限定されない。また、図４において、破線で示す４０Ａ、４０Ｂは切り取り用の案内溝、４１は安定用の脚部、５０は分解することにより被包装物１０を保持するスタンドとなる部分を示している。
【００２３】
また、図５において、破線で示す４０は切り取り用の案内溝、４１は安定用の脚部、５０は分解することにより被包装物１０を保持するスタンドとなる部分を示している。図６において、破線で示す４０Ａ、４０Ｂは切り取り用の案内溝、４１は安定用の脚部、５０は分解することにより被包装物１０を保持するスタンドとなる部分を示している。また、切り取り用の案内溝４０Ａ、４０Ｂは、各側部２２、２３、２４、２５のうちの第１の側部２２と、底部２１と、第１の側部に対向する面に設けられた第２の側部２４に沿って連続的に形成されている。
【００２４】
被包装物１０を梱包する場合は、緩衝材２０の収容部２６を被包装物１０の側端部に嵌め合わせて梱包箱（図示省略）に収容する。従って、被包装物１０は、緩衝材２０の収容部２６に包まれて保護された状態で輸送される。そして、搬送先で梱包箱を開けて被包装物１０を取り出した後に、図４に示すような１つ緩衝材２０において、カッターなどを用いて切り取り用の案内溝４０Ａ、４０Ｂに沿って緩衝材をカットして、緩衝材を三つに分離することができる。これにより、緩衝材の一部である中央の部分を被包装物のスタンドとして使用することができる。こうして完成したスタンドを図７〜図９に示す。
【００２５】
図７は、本実施の形態に係る緩衝材をカットしてスタンドにした後に被包装物を立てた状態の斜視図である。図８は、本実施の形態に係る緩衝材をカットしたスタンドの斜視図である。図９は、本実施の形態に係る緩衝材をカットしたスタンドの平面図である。図７に示すように、被包装物１０は、緩衝材２０をカットしたスタンド５０に保持されている。また、図８及び図９において、２１Ａはカット後の底部、２６Ａはカット後の収容部、２２Ａはカット後の第１の側部の一部、２４Ａは第２の側部の一部、４１はスタンドを安定させるための安定用の脚部４１である。
【００２６】
以上の通り、本実施の形態に係るの衝撃材によれば、各側部２２、２３、２４、２５のうちの第１の側部２２と、底部２１と、第１の側部２２に対向する面に設けられた第２の側部２４に沿って連続的に形成された切り取り用の案内溝４０Ａ、４０Ｂを２つ設けるようにしたので、搬送先で梱包箱を開けて被包装物１０を取り出した後に、ユーザは、カッターなどを用いて切り取り用の案愛溝４０Ａ、４０Ｂに沿って緩衝材２０をカットすることにより、緩衝材２０を三つに分離することができる。なお、案内溝４０Ａ、４０Ｂは断続的に形成された溝であってもよい。
【００２７】
これにより、緩衝材２０の一部である中央の部分を被包装物１０のスタンド５０として使用することができる。従って、緩衝材２０として使用したものを簡単な作業でスタンド５０にすることができる。また、緩衝材２０を発泡スチロールで成形することにより、軽くて包装用として優れた特徴を持ち、しかも安価に製造することができる。また、スタンド５０は、緩衝材２０に、製品使用時の機能を妨げずに固定でき、かつ、洗練されたデザインを持たせることもできる。また、開梱後、緩衝材２０をスタンド５０として利用することにより、廃棄物を削除できる。スタンドを別途添付する必要もなくなる。
【００２８】
以上、本発明の一実施の形態を説明した。本発明は上記実施の形態に限定されるものではなく、本発明の要旨の範囲内において種々の変形実施が可能である。
【００２９】
【発明の効果】
以上説明した本発明によれば、被包装物を保持するスタンドを別途添付する必要がない緩衝材を提供できる。
【図面の簡単な説明】
【図１】本実施の形態に係る緩衝材に被包装物を収納した状態を示す斜視図である。
【図２】本実施の形態に係る緩衝材に被包装物を収納した状態を示し、図１とは反対側から見た斜視図である。
【図３】本実施の形態に係る緩衝材の斜視図である。
【図４】本実施の形態に係る緩衝材の正面図である。
【図５】本実施の形態に係る緩衝材の平面図である。
【図６】本実施の形態に係る緩衝材を下面から見た斜視図である。
【図７】本実施の形態に係る緩衝材をカットしてスタンドにした後に被包装物を立てた状態の斜視図である。
【図８】本実施の形態に係る緩衝材をカットしたスタンドの斜視図である。
【図９】本実施の形態に係る緩衝材をカットしたスタンドの平面図である。
【図１０】従来の緩衝材を説明するための図である。
【図１１】従来の他の緩衝材を説明するための図である。
【符号の説明】
１０  被包装物
２０  緩衝材
２１  底部
２２、２３、２４、２５  側部
３０〜３７  リブ
４０  案内溝
４１  安定用の脚部
５０  スタンド
【図１】
2004182237.tif 000003
【図２】
2004182237.tif 000004
【図３】
2004182237.tif 000005
【図４】
2004182237.tif 000006
【図５】
2004182237.tif 000007
【図６】
2004182237.tif 000008
【図７】
2004182237.tif 000009
【図８】
2004182237.tif 000010
【図９】
2004182237.tif 000011
【図１０】
2004182237.tif 000012
【図１１】
2004182237.tif 000013